(57)【要約】【課題】光ピックアップの製造段階における初期調整の工数を削減でき、且つ光ピックアップに含まれる部品点数を増やすことのない光ピックアップを提供する。【解決手段】本発明のダイクロプリズムは少なくとも、第一反射膜、第二反射膜、及び透明部材を含むように構成されている。透明部材は、その内部を透過する光ビームに対して所定の方向及び所定の大きさの非点収差を発生させる。これにより、光ピックアップを構成するその他の光学部材、例えば立ち上げミラーや対物レンズ等で発生する非点収差と逆方向の非点収差を発生させて相殺する。このため、透明部材の材質を調整することにより、光ピックアップ全体で発生する非点収差を低減することができる。【選択図】図３
2009043359.tif 000002
【特許請求の範囲】
【請求項１】
光ビームを出射する光源と、
光源より出射された光ビームを反射、或いは透過することにより複数の光ビームの光軸を一致させるダイクロプリズムと、
を備えた光ピックアップにおいて、
前記ダイクロプリズムが、所定の波長の光ビームを反射すると共にその他の波長の光ビームを透過する第一反射膜と、光ビームを反射する第二反射膜と、前記第一反射膜及び前記第二反射膜に挟まれた透明部材と、から構成されており、
前記第一反射膜が、前記ダイクロプリズムの光源側表面において前記透明部材に着接されており、
前記第二反射膜が、前記第一反射膜及び前記透明部材を透過した入射光を受光可能であり、且つ前記入射光を反射して前記第一反射膜を透過させることにより、前記第二反射膜による反射光と前記第一反射膜による反射光との光軸を一致させることが可能な位置において前記透明部材に着接されていること、
を特徴とする光ピックアップ。
【請求項２】
前記透明部材が、前記透明部材を透過する光ビームに対して、前記光ピックアップを構成する各光学部材において発生する非点収差と逆の非点収差を発生させることにより、前記非点収差を相殺可能である材質で形成されていること
を特徴とする請求項１に記載の光ピックアップ。
【請求項３】
前記透明部材に埋め込まれた液晶素子と、
前記液晶素子に印加する電圧を変化させることにより、前記液晶素子を透過する光ビームの光軸を変化させる光軸変更手段と、
受光素子により光ビームを検出して電気信号に変換する受光手段と、
前記受光手段により得られる電気信号をもとに、前記光軸変更手段が印加する電圧を変化させることにより、前記第一反射膜による反射光の光軸と前記第二反射膜による反射光の光軸とを一致させるため必要な電圧を算出する第一算出手段と、
前記第一算出手段が算出した電圧を前記光軸変更手段に印加する第一印加手段と、
を備えたことを特徴とする請求項１に記載の光ピックアップ。
【請求項４】
前記透明部材に埋め込まれた液晶素子と、
前記液晶素子に印加する電圧を変化させることにより、前記液晶素子を透過する光ビームの非点収差を補正する収差補正手段と、
受光素子により光ビームを検出して電気信号に変換する受光手段と、
前記受光手段により得られる電気信号をもとに、前記液晶素子を透過する光ビームに発生している非点収差を補正するために前記収差補正手段に印加する必要のある電圧を算出する第二算出手段と、
前記第二算出手段が算出した電圧を前記収差補正手段に印加する第二印加手段と、
を備えたことを特徴とする請求項１に記載の光ピックアップ。
【請求項５】
前記液晶素子が、前記第一反射膜を透過した光ビームが前記第二反射膜に到達するまでの光軸上において、前記透明部材に埋め込まれていること、
を特徴とする請求項４に記載の光ピックアップ。
【発明の詳細な説明】
【技術分野】
【０００１】
本発明は、光ディスク装置等に用いられる光ピックアップに関するものであり、特に非点収差の補正を可能としたダイクロプリズムを備えた光ピックアップに関する。
【背景技術】
【０００２】
近年、コンパクトディスク（以下、「ＣＤ」という）やデジタル多用途ディスク（以下、「ＤＶＤ」という）といった光ディスクが普及し、一般的に用いられるようになっている。そして光ディスクに記録された情報、例えば音声情報や映像情報を読み出して再生するための装置として、光ディスク再生装置が存在する。広く知られている光ディスク再生装置としては、例えばＣＤプレイヤ、ＤＶＤプレイヤ、或いはパソコンに接続されるＣＤ−ＲＯＭドライブ等があげられる。
【０００３】
光ディスク再生装置には、光ディスクに対して光ビームを照射して情報の読み取りを行うための光ピックアップが備えられている。光ピックアップはターンテーブル上に固定されて回転している光ディスクの情報記録面に対して光ビームを照射する。そして光ディスクからの反射光を光ピックアップ内に設けられた受光素子、例えばフォトダイオードによって受光する。そして受光素子により光を電気信号に変換し、得られた電気信号に基づいて光ディスクに記録されている情報を出力する。
【０００４】
しかしながら光ピックアップを構成する光学部品、例えば対物レンズや立ち上げミラー等を光線が通過する際に、光ビームに非点収差が発生する。この非点収差を減少させるため、光ピックアップの製造段階において様々な調整作業が行われる。
【０００５】
上記に関連して特許文献１には、一つの液晶光学素子により収差を補正するとともに、この液晶光学素子の電極パターン及び駆動制御の簡素化を可能とした光ピックアップが開示されている。この液晶光学素子は、球面収差を補正するパターンと、非点収差を補正するパターンと、コマ収差を補正するパターンとを有し、これらの各パターンがそれぞれ一対の電極に分散配置されて一対の電極を複数の領域に分割している。そしてそれぞれに配置されたパターンにより分割された複数の領域が組み合わされて収差を補正する。このため、液晶光学素子の電極パターン及びこの駆動制御を複雑にすることなく、一つの液晶光学素子で各収差の最適な補正を実現できる。
【０００６】
また上記に関連して特許文献２には、レーザ光の光損失なく収差を低く抑えることができるミラーを備えた光ピックアップが開示されている。この光ピックアップは、表面が曲面である基体、基体の表面上に形成される反射膜、及び基板とその上に設けられる波長選択膜とを含み、且つ反射膜側に少なくとも１層形成される反射層を備えるミラーを備えている。このミラーは例えば、第一波長のレーザ光は波長選択膜及び基板を透過して反射膜で反射し、第二波長のレーザ光はミラーの最表面の波長選択膜で反射する。これにより、ミラーの強度を得ることができるため、基体上の基板の薄型化を図ることができる。
【０００７】
また上記に関連して特許文献３には、精密なミラーと同じ光学性能を得ると共にミラー製造に要する時間及びコストを低減することが可能な光ピックアップが開示されている。この光ピックアップは、光を発生する光源と、光源により発生された光の光路を変換するミラーと、ミラーの表面形状の不均一さによって前記ミラーにより反射された光に発生する収差を補正する収差補正素子とを備えている。なお収差補正素子は、ミラーにより反射された光の光路上に配置されている構成となっている。
【特許文献１】特開２００６−１２０２７９号公報
【特許文献２】特開２００６−２４２７６号公報
【特許文献３】特開２００６−７９８１５号公報
【発明の開示】
【発明が解決しようとする課題】
【０００８】
しかしながら上記特許文献１〜特許文献３に開示されている光ピックアップにおいては、光ディスク再生時における面振れ等による収差を補正することは可能であるが、光ピックアップの製造段階における初期調整については、従来通りの調整を行う必要があった。また調整時に発生する非点収差について、専用の部材、例えば収差補正素子等を用いて補正する必要があり、光ピックアップが含む部材数が増えるという問題があった。
【０００９】
以上の点を鑑みて、本発明の目的は、光ピックアップの製造段階における初期調整の工数を削減でき、且つ光ピックアップに含まれる部品点数を増やすことなく実現可能である光ピックアップを提供することにある。
【課題を解決するための手段】
【００１０】
上記目的を達成するために本発明の光ピックアップは、光ビームを出射する光源と、光源より出射された光ビームを反射、或いは透過することにより複数の光ビームの光軸を一致させるダイクロプリズムと、を備えた光ピックアップにおいて、前記ダイクロプリズムが、所定の波長の光ビームを反射すると共にその他の波長の光ビームを透過する第一反射膜と、光ビームを反射する第二反射膜と、前記第一反射膜及び前記第二反射膜に挟まれた透明部材と、から構成されており、前記第一反射膜が、前記ダイクロプリズムの光源側表面において前記透明部材に着接されており、前記第二反射膜が、前記第一反射膜及び前記透明部材を透過した入射光を受光可能であり、且つ前記入射光を反射して前記第一反射膜を透過させることにより、前記第二反射膜による反射光と前記第一反射膜による反射光との光軸を一致させることが可能な位置において前記透明部材に着接されていることを特徴としている。
【００１１】
これによると、本発明の光ピックアップは、光ビームを出射する光源と、光源より出射された光ビームを反射、或いは透過することにより複数の光ビームの光軸を一致させるダイクロプリズムとを備えている。ダイクロプリズムは少なくとも、第一反射膜、第二反射膜、及び透明部材を含むように構成されている。
【００１２】
第一反射膜は、所定の波長の光ビーム、例えばＤＶＤ用の光ビームを反射し、且つ所定の波長、例えばＢＤ用の光ビームを透過する材質で形成されている。また第二反射膜は、波長に関わらず全ての光ビームを反射する材質で形成されている。このため、第一反射膜を透過した光ビームを第二反射膜で反射し、且つ反射光を第一反射膜を透過させてダイクロプリズムの外部に出射することが可能である。なお、第一反射膜と第二反射膜の間には、光ビームを透過する透明部材が両反射膜に挟まれて存在する。
【００１３】
第一反射膜及び第二反射膜は、透明部材の表面に着接されている。第一反射膜は、光源より出射された光ビームを受光可能な透明部材の光源側表面等に着接されている。また第二反射膜は、第一反射膜及び透明部材を透過した光ビームを受光可能な場所、例えば透明部材が直方体である場合は第一反射膜が着接されている面の反対面に着接されている。このため、光源の位置を調整して光ビーム入射位置を変化させることにより、両反射膜で反射される反射光の光軸を一致させることが可能である。
【００１４】
また上記目的を達成するために本発明の光ピックアップは、前記透明部材が、前記透明部材を透過する光ビームに対して、前記光ピックアップを構成する各光学部材において発生する非点収差と逆の非点収差を発生させることにより、前記非点収差を相殺可能である材質で形成されていることを特徴としている。
【００１５】
これによると、本発明の光ピックアップが備えるダイクロプリズムを構成する透明部材は、その内部を透過する光ビームに対して所定の方向及び所定の大きさの非点収差を発生させる。これにより、光ピックアップを構成するその他の光学部材、例えば立ち上げミラーや対物レンズ等で発生する非点収差と逆方向の非点収差を発生させて相殺する。このため、透明部材の材質を調整することにより、光ピックアップ全体で発生する非点収差を低減することができる。なお、どの方向にどの大きさの非点収差を発生させる材質を用いるかは、本発明の範囲を逸脱しない範囲において適宜変更可能である。
【００１６】
前記透明部材に埋め込まれた液晶素子と、前記液晶素子に印加する電圧を変化させることにより、前記液晶素子を透過する光ビームの光軸を変化させる光軸変更手段と、受光素子により光ビームを検出して電気信号に変換する受光手段と、前記受光手段により得られる電気信号をもとに、前記光軸変更手段が印加する電圧を変化させることにより、前記第一反射膜による反射光の光軸と前記第二反射膜による反射光の光軸とを一致させるため必要な電圧を算出する第一算出手段と、前記第一算出手段が算出した電圧を前記光軸変更手段に印加する第一印加手段とを備えたことを特徴としている。
【００１７】
これによると、本発明の光ピックアップが備えるダイクロプリズムは、透明部材に埋め込まれた液晶素子に電圧を印加することにより光ビームの光軸を変化させる光軸変更部（＝光軸変更手段）と、受光素子により光ビームを電気信号に変換する受光部（＝受光手段）とを備えている。光軸変更部は印加する電圧を変化させることにより、第一反射膜を透過した光ビームが液晶素子を透過する際に、その光軸を変化させることができる。
【００１８】
また、受光部より光電変換された電気信号をもとに、複数の光ビーム、例えば第一反射膜で反射される光ビームと、第二反射膜で反射される光ビームとの光軸を一致させるために、液晶素子に印加する必要がある電圧を算出する補正量決定部（＝第一算出手段）を備えている。なお、ここでいう光軸とは、ダイクロプリズムから他の光学部材、例えばコリメートレンズ等に対して出射される光ビームの光軸を表している。
【００１９】
補正量決定部によって算出された電圧は、液晶ドライバ（＝第一印加手段）によって液晶素子に印加される。これにより、電圧の印加が行われている間は、ダイクロプリズム表面の第一反射膜で反射される光ビームと、ダイクロプリズム内部を透過して第二反射膜で反射される光ビームとの光軸を一致させることができる。
【００２０】
また上記目的を達成するために本発明の光ピックアップは、前記透明部材に埋め込まれた液晶素子と、前記液晶素子に印加する電圧を変化させることにより、前記液晶素子を透過する光ビームの非点収差を補正する収差補正手段と、受光素子により光ビームを検出して電気信号に変換する受光手段と、前記受光手段により得られる電気信号をもとに、前記液晶素子を透過する光ビームに発生している非点収差を補正するために前記収差補正手段に印加する必要のある電圧を算出する第二算出手段と、前記第二算出手段が算出した電圧を前記収差補正手段に印加する第二印加手段とを備えたことを特徴としている。
【００２１】
これによると、本発明の光ピックアップが備えるダイクロプリズムは、透明部材に埋め込まれた液晶素子に電圧を印加することにより光ビームの非点収差を補正する収差補正部（＝収差補正手段）と、受光素子により光ビームを電気信号に変換する受光部（＝受光手段）とを備えている。光軸変更部は電圧を印加することにより、第一反射膜を透過した光ビームの非点収差を補正することができる。
【００２２】
また、受光部より光電変換された電気信号をもとに、光ビームに発生している非点収差を補正するために液晶素子に印加する必要がある電圧を算出する補正量決定部（＝第二算出手段）を備えている。補正量決定部によって算出された電圧は、液晶ドライバ（＝第二印加手段）によって液晶素子に印加される。これにより、電圧の印加が行われている間は、ダイクロプリズム内部を透過する光ビームの非点収差を補正することができる。
【００２３】
また上記目的を達成するために本発明の光ピックアップは、前記液晶素子が、前記第一反射膜を透過した光ビームが前記第二反射膜に到達するまでの光軸上において、前記透明部材に埋め込まれていることを特徴としている。
【００２４】
これによると、本発明の光ピックアップが備えるダイクロプリズムは、液晶素子が、第一反射膜を透過した光ビームが第二反射膜に到達するまでの光軸上に配設されている。従って第二反射膜で反射された光ビームが第一反射膜を透過するまでの光軸上においては、収差補正を行わない。このため、透明部材の全面に液晶素子を埋め込む必要がない。
【発明の効果】
【００２５】
本発明の光ピックアップによれば、ダイクロプリズムが少なくとも、第一反射膜、第二反射膜、及び透明部材を含むように構成されている。このため、光源の位置を調整して光ビーム入射位置を変化させることにより、両反射膜で反射される反射光の光軸を一致させることが可能である。このように光軸調整を容易に行うことができるため、光ピックアップ製造時の調整作業の工数を削減できる。また、ダイクロプリズムの設置角度や光源の設置位置を柔軟に変更することができる。
【００２６】
また本発明の光ピックアップによれば、ダイクロプリズムを構成する透明部材が、その内部を透過する光ビームに対して所定の方向及び所定の大きさの非点収差を発生させることにより、光ピックアップ全体で発生する非点収差を低減することができる。このため、非点収差補正用の部材、例えば収差補正素子等を削減できるため、光ピックアップ製造時のコスト削減及び省サイズ化を図ることができる。
【００２７】
また本発明の光ピックアップによれば、光ビームの光軸を変化させる光軸変更部と、受光素子により光ビームを電気信号に変換する受光部と、液晶素子に印加する電圧を算出する補正量決定部とにより、複数の光ビームの光軸を一致させることができる。このため、光ビームの光軸調整を容易且つ確実に行うことができる。また、光源を移動させて光軸調整する必要がないため、光源の位置が物理的制約を受けにくく、従って装置設計の自由度が高まる。また液晶素子がダイクロプリズム内部に埋め込まれているため、ダイクロプリズムのサイズが増加することがなく、装置サイズに影響を与えることがない。
【００２８】
また本発明の光ピックアップによれば、透明部材に埋め込まれた液晶素子に電圧を印加することにより光ビームの非点収差を補正する収差補正部と、液晶素子に印加する電圧を算出する補正量決定部を備えている。そして補正量決定部により算出された電圧の印加を行うことにより、ダイクロプリズム内部を透過する光ビームの非点収差を補正する。このため、光ビームの非点収差の補正を容易且つ確実に行うことができる。また、収差補正素子を用いて非点収差の補正を行う必要がないため、収差補正用の部材を削減することができる。また液晶素子がダイクロプリズム内部に埋め込まれているため、ダイクロプリズムのサイズが増加することがなく、装置サイズに影響を与えることがない。
【００２９】
また本発明の光ピックアップによれば、ダイクロプリズムが備える液晶素子が、第一反射膜を透過した光ビームが第二反射膜に到達するまでの光軸上に配設されている。これにより、透明部材の全面に液晶素子を埋め込む必要がないため、液晶素子の省サイズ化、及び部材の削減を図ることができる。
【発明を実施するための最良の形態】
【００３０】
以下に本発明の実施形態を、図面を参照しながら説明する。なお、ここで示す実施形態は一例であり、本発明はここに示す実施形態に限定されるものではない。
【００３１】
［実施の形態１］
〈１−１．内部構成について〉
図１は、本発明の第一の実施形態に係るディスクプレイヤ１００を示す構成図である。ディスクプレイヤ１００は、光ピックアップ１、ＲＦアンプ３１、ＤＳＰ（Ｄｉｇｉｔａｌ  Ｓｉｇｎａｌ  Ｐｒｏｃｅｓｓｏｒ）３２、再生処理回路３３、出力回路３４、システムコントローラ４１、ドライバ４２、表示部４３、操作部４４、送りモータ５１、及びスピンドルモータ５２を備えている。
【００３２】
光ピックアップ１は、光ディスク２（ＣＤ、ＤＶＤ、又は、ＢＤ）に光ビームを照射して、光ディスク２に記録された音声情報、映像情報等の各種情報の読み取りを行う。この光ピックアップ１には、ＣＤ用レーザ、ＤＶＤ用レーザ、ＢＤ用レーザが設けられている。なお、光ピックアップ１内部の詳細については後述する。
【００３３】
光ピックアップ１により得られた音声情報、及び映像情報は、ＲＦアンプ３１〜出力回路３４により音声及び映像に変換され、それぞれ不図示のスピーカ及びモニタから出力される。ＲＦアンプ３１は、光ピックアップ１からの音声信号や映像信号等を増幅する。ＤＳＰ３２及び再生処理回路３３は、ＲＦアンプ３１からの信号に対して、再生のための各種情報処理（例えば映像処理等）を施す。出力回路３４は、再生処理回路３３からの信号を、不図示のスピーカ及びモニタに出力するためにＤ／Ａ変換処理等を行う。
【００３４】
システムコントローラ４１及びドライバ４２は、光ピックアップ１及び駆動装置（＝送りモータ５１及びスピンドルモータ５２）の動作を制御する。システムコントローラ４１は、操作部４４からの情報を受け付けてＤＳＰ３２に伝送すると共に、ＤＳＰ３２からの情報を表示部４３に伝送する。またドライバ４２は、ＤＳＰ３２からの指示に基づいて、光ピックアップ１及び駆動装置の動作を制御する。
【００３５】
送りモータ５１は、ＤＳＰ３２の指示に基づいて動作するドライバ４２によって駆動される。それによって光ピックアップ１は光ディスク２の径方向に移動する。スピンドルモータ５２は、ドライバ４２によって光ディスク２を回転方向に駆動する。なお、ドライバ４２はＤＰＳ３２の指示に基づいてピックアップ装置１の対物レンズ１７（図２）のフォーカス制御を行う。
【００３６】
〈１−２．光ピックアップの構成について〉
図２は、本発明の第一の実施形態に係る光ピックアップ１の光学系を示す概略図である。光ピックアップ１は、ＣＤ等の光ディスク２に対して、光ビームを照射して反射光を受光することにより光ディスク２の記録面に記録されている情報を読み取ることを可能とする装置である。なお、光ピックアップ１で情報の読み取り等が可能な光ディスク２の種類及び数は、本実施形態に示す種類及び数に限らず、本発明の範囲を逸脱しない範囲で種々の変更が可能である。
【００３７】
この光ピックアップ１は、第一光源１１ａ（＝光源）と、第二光源１１ｂ（＝光源）と、ダイクロプリズム１２と、コリメートレンズ１３と、ビームスプリッタ１４と、立ち上げミラー１５と、液晶素子１６と、対物レンズ１７と、検出レンズ１８と、光検出器１９（＝受光手段）と、アクチュエータ２１とを備えている。以下に、光ピックアップ１を構成する各光学部材の詳細を説明する。
【００３８】
第一光源１１ａは、ＤＶＤに対応する６５０ｎｍ帯の光ビームと、ＣＤに対応する７８０ｎｍ帯の光ビームとを出射できる半導体レーザである。第二光源１１ｂは、ＢＤに対応する４０５ｎｍ帯の光ビームを出射できる半導体レーザである。なお、本実施形態では、第一光源１１ａとして、２種類の波長の光ビームを出射できる二つの発光点を有する２波長一体型の半導体レーザを用いているが、これに限られる趣旨ではなく、例えば単一の波長の光ビームのみを出射する半導体レーザを用いても構わない。
【００３９】
ダイクロプリズム１２は、第一光源１１ａから出射される光ビームをその表面の第一反射膜１２ａ（図３）で反射する。また第二光源１１ｂから出射される光ビームをその表面の第一反射膜１２ａで透過し、その内部の第二反射膜１２ｃ（図３）で反射する。そして、第一光源１１ａ及び第二光源１１ｂから出射される光ビームの光軸を同一軸上に揃える。ダイクロプリズム１２において、反射された光ビームは、コリメートレンズ１３に送られる。なお、ダイクロプリズム１２の詳細については後述する。
【００４０】
コリメートレンズ１３は、ダイクロプリズム１２を通過した光ビームを平行光に変換する。ここで、平行光とは、第一光源１１ａ及び第二光源１１ｂから出射された光ビームの全ての光路が光軸とほぼ平行である光をいう。コリメートレンズ１３で平行光とされた光ビームは、ビームスプリッタ１４に送られる。
【００４１】
ビームスプリッタ１４は、入射する光ビームを分離する光分離素子として機能し、コリメートレンズ１３から送られてきた光ビームを透過して、光ディスク２側へと導くとともに、光ディスク２で反射された反射光を反射して光検出器１９側へと導く。ビームスプリッタ１４を透過した光ビームは、立ち上げミラー１５に送られる。
【００４２】
立ち上げミラー１５は、ビームスプリッタ１４を透過してきた光ビームを反射して光ディスク２へと導く。立ち上げミラー１５は、ビームスプリッタ１４からの光ビームの光軸に対して４５°傾いた状態となっており、立ち上げミラー１５で反射された光ビームの光軸は、光ディスク２の記録面と略直交する。立ち上げミラー１５で反射された光ビームは、液晶素子１６に送られる。
【００４３】
液晶素子１６は、透明電極に挟まれた液晶（いずれも図示せず）に電圧を印加することで、液晶分子がその配向方向を変える性質を利用して、屈折率の変化を制御し、液晶素子６を透過する光ビームの位相の制御を可能とする素子である。この液晶素子１６を配置することによって、光ディスク２の記録面を保護する保護層の厚みの違い等によって生じる球面収差の補正が可能となる。液晶素子１６を通過した光ビームは対物レンズ１７へと送られる。
【００４４】
対物レンズ１７は、液晶素子１６を透過した光ビームを光ディスク２の記録面上に集光させる。また、対物レンズ１７は後述するアクチュエータ２１によって、例えば、図２の上下方向及び左右方向に移動可能とされており、フォーカスサーボ信号及びトラッキングサーボ信号に基づいてその位置が制御される。
【００４５】
なお、本実施形態においては、液晶素子１６も対物レンズ１７と共に移動できるように、アクチュエータ２１に搭載されている。ただし、液晶素子１６は、必ずしもアクチュエータ２１に搭載する必要はなく、光学系の構成に応じて、その構成は変更可能である。
【００４６】
光ディスク２で反射された反射光は、対物レンズ１７、液晶素子１６の順に通過し、立ち上げミラー１５で反射された後、更にビームスプリッタ１４で反射されて、検出レンズ１８によって光検出器１９上に設けられる受光素子へと集光される。
【００４７】
光検出器１９は、フォトダイオード等の受光素子を用いて受光した光情報を電気信号に変換して、例えば、図示しないＲＦアンプ等に出力する。そして、この電気信号は、記録面に記録されているデータの再生信号として、更にはフォーカス制御やトラッキング制御を行うためのサーボ信号として用いられる。
【００４８】
アクチュエータ２１は、ドライバ４２で生成され出力されたレンズ駆動信号に従って、対物レンズ１７を光ディスク２の径方向に移動させる。アクチュエータ２１はそれには限定されないが、ここでは、永久磁石（不図示）によって形成される磁界内にコイル（不図示）に駆動電流を流し、ローレンツ力にて対物レンズ１７を駆動することができるものであってもよい。
【００４９】
なお本発明では、アクチュエータ２１は対物レンズ１７を光ディスク２の記録面に沿う方向に移動させるトラッキング動作を行うが、これ以外にも、対物レンズ１７より照射されるレーザ光の光軸が揺動するように対物レンズ１７を傾動させるチルト動作や、対物レンズ１７を光ディスク２に対して接近離反するように移動させるフォーカス動作も必要に応じて行うことができる。
【００５０】
〈１−３．ダイクロプリズムの構成について〉
図３は、本発明の第一の実施形態に係るダイクロプリズム１２の構成を示す概略図である。また図６及び図７は、従来のピックアップ９及びダイクロプリズム９０の構成を示す概略図である。まず従来の構成について説明する。
【００５１】
図６は、従来より存在する光ピックアップ９の光学系を示す概略図である。図２の光ピックアップ１の構成と異なる点としては、第一光源１１ａ及び第二光源１１ｂから出射される光ビームの光軸を同一軸上に揃えるための部材としてダイクロプリズム１２ではなくダイクロプリズム９０を用いている。
【００５２】
ダイクロプリズム９０は図７に示すように、その内部に反射膜９１を備えている。反射膜９１は特定の波長の光ビームが照射された場合にその光ビームを透過し、また別の波長の光ビームが照射された場合はその光ビームを反射する性質を備えている。図７の例では、第一光源１１ａにより出射される光ビーム、例えばＤＶＤに対応する６５０ｎｍ帯の光ビームを図中の上方向へ反射する。また第二光源１１ｂにより出射される光ビーム、例えばＢＤに対応する４０５ｎｍ帯の光ビームを透過する。これにより異なる方向から入射された波長の異なる光ビームの光軸を、図中の上方向へ一致させることができる。
【００５３】
上記のような構造であるダイクロプリズム９０を用いるため、ピックアップ９においては、第一光源１１ａ及び第二光源１１ｂが配設される位置がピックアップ１のものとは異なる。ピックアップ１における両光源は図２に示すように、その光ビーム出射角度が互いに並行となるように配置されている。しかしピックアップ９においては、その光ビーム出射角度が互いに直角となるように配置されている。
【００５４】
なお上述のように、光源の配置及びダイクロプリズムの構成の違いを除くその他の構成については、ピックアップ９とピックアップ１とは同一構成であるため、ここでは説明を省略する。
【００５５】
次に本発明の第一の実施形態に係るダイクロプリズム１２の構成について、図３を用いて説明する。ダイクロプリズム１２は、第一光源１１ａ及び第二光源１１ｂより光ビームを照射される側の表面に、第一反射膜１２ａを備えている。第一反射膜１２ａは、ダイクロプリズム９０が備える反射膜９１と同一の材質をしており、特定の波長の光ビームを反射すると共に、その他の波長の光ビームを透過する性質を備えている。図３の例では、第一光源１１ａにより出射される光ビームを反射し、第二光源１１ｂにより出射される光ビームを透過するようになっている。
【００５６】
またダイクロプリズム１２は、その本体を構成する透明部材として、ガラス厚板１２ｂ（＝透明部材）を備えている。ガラス厚板１２ｂは光ビームを透過する性質を持つが、透過中の光ビームには非点収差が発生する。非点収差は、ガラス厚板１２ｂの材質によって、その発生方向及び大きさが変化する。このため、ガラス厚板１２ｂの材質を変更することにより、非点収差の発生方向及び大きさを調整することが可能である。これにより、ダイクロプリズム以外の光学部材、例えば立ち上げミラー１５や対物レンズ１７などで発生する非点収差と逆方向の非点集差を発生させることにより相互に収差を打ち消し、結果として非点収差の補正を行うことが可能である。
【００５７】
第一反射膜１２ａがガラス厚板１２ｂに接着されているのと反対側の表面には、第二反射膜１２ｃが接着されている。第二反射膜１２ｃは、全ての種類の光ビームを反射する性質を備えている。第二反射膜１２ｃは、第一反射膜１２ａ及びガラス厚板１２ｂを透過した第二光源１１ｂの光ビームを反射する。これにより光ビームは図中の上方へ反射され、ガラス厚板１２ｂ及び第一反射膜１２ａを透過してダイクロプリズム１２の外部へ出射される。
【００５８】
上記の構成によれば、ダイクロプリズム１２の配設角度、第一光源１１ａの配設位置、及び第一光源１１ａが出射する光ビームの出射角度に関わらず、第二光源１１ｂの配設位置、及び第二光源１１ｂが出射する光ビームの出射角度を変更することにより、容易に両光源が出射する光ビームの光軸を同一光軸上に揃えることができる。従って、ピックアップ１の製造時における光軸調整作業を容易且つ効率的に行うことが可能である。
【００５９】
なお、上記の調整作業は、図示しない試験用受光素子及び補正量算出機のような機材からなる試験装置、例えば試験用カメラ等を用いてピックアップ組立時に行う。これにより、例えば光ディスク２の面振れ等により発生する細かな収差の補正を行う前段階として、ピックアップ装置全体としての大まかな調整をダイクロプリズム１２により行うことが可能である。
【００６０】
［実施の形態２］
〈２−１．内部構成について〉
実施の形態１のディスクプレイヤ１００（図１）と同内容であるため、説明を省略する。
【００６１】
〈２−２．光ピックアップの構成について〉
実施の形態１の光ピックアップ１（図２）と同内容であるため、説明を省略する。
【００６２】
〈２−３．ダイクロプリズムの構成について〉
図４は、本発明の第二の実施形態に係るダイクロプリズム１２の構成を示す概略図である。本実施形態のダイクロプリズム１２は、実施の形態１のダイクロプリズムが備える第一反射膜１２ａ〜第二反射膜１２ｃに加え、光軸変更素子１２ｄ（＝液晶素子）を備えている。また光軸変更素子１２ｄには、受光素子６１（＝受光手段）及び補正量決定部６２（＝第一算出手段）が接続されている。
【００６３】
光軸変更素子１２ｄは、第二光源１１ｂより出射される光ビームがダイクロプリズム１２内部を通過する際に、この光ビームの光軸を任意の方向にずらすためのものである。具体的な部材としては、例えば収差補正用の液晶素子等を用いる。光軸変更素子１２ｄは、図示しない液晶ドライバ（＝第一印加手段）により電圧を印加されることにより、その印加された電圧に比例して光ビームの軌道を変化させる。これにより、ダイクロプリズム１２内部を透過する光ビームの、第二反射膜１２ｃ透過時における光軸をずらすことができる。
【００６４】
このように光軸変更素子１２ｄは、印加する電圧を調整することにより光軸の補正を行うことができる。このため、第一光源１１ａより出射される光ビームと第二光源１１ｂより出射される光ビームとの光軸を一致させることが可能である。なお、第一光源１１ａより出射される光ビームの光軸は予め固定されている。
【００６５】
受光素子６１は、第一光源１１ａから出射され第一反射膜１２ａにより反射された光ビームと、第二光源１１ｂから出射されダイクロプリズム１２内部を通過した光ビームとを受光し、それぞれの光ビームの光軸のズレを測定するためのものである。
【００６６】
受光素子６１は、フォトダイオード等の受光素子を用いて受光した光情報を電気信号に変換する。そして変換した電気信号を、光ビームの測定結果として、補正量決定部に６２に出力する。なお、受光素子６１は光ピックアップ内部の装置ではなく、外部の試験用装置（不図示）の一部材である。
【００６７】
従って、受光素子６１の設置場所は特に限定されるものではないが、光ビームがダイクロプリズム１２より出射された直後、すなわち図２に示されるコリメートレンズ１３へ与えられる前に受光を行うことが望ましい。なお受光素子６１は、同じく受光素子により光情報を電気信号へ変換する光検出器１９とは別部材である。
【００６８】
補正量決定部６２は、受光素子６１から与えられた光ビームの測定結果をもとに、両光ビームの光軸を一致させるのに必要な光軸の補正量を算出し、算出した補正量に基づいて光軸変更素子１２ｄに印加する電圧を算出する。なお補正量決定部は、例えばＬＳＩチップ等の演算装置を用いて実現する形態でもよいし、或いはパソコン等が備えるＣＰＵ上で特定のプログラムを実行することにより実現する形態であってもよい。
【００６９】
具体的には補正量決定部６２は、受光素子６１により光電変換された電気信号を受信し、その電気信号から二つの光ビームの光軸のズレを算出する。そして第二光源１１ｂから出射される光ビームの光軸をどの方向にどれだけ移動させれば、両光ビームの光軸が一致するかを算出する。そして算出した値を元に、光軸変更素子１２ｄに印加する電圧の大きさ決定し、決定した電圧の印加を液晶ドライバを用いて行う。
【００７０】
電圧の印加後、補正量決定部６２は更に受光素子６１を用いて光ビームの測定を行い、両光ビームの光軸が一致したかどうかの判定を行う。一致しない場合は、再度補正量の算出及び電圧の印加を行う。そして光軸が一致した際に用いた電圧の値を、確定値としてメモリ（不図示）等の記録装置に記録する。
【００７１】
なお、受光素子６１及び補正量決定部６２は、ピックアップ１の初期調整時においてのみ使用する部材であるため、上記の確定値が得られた後はダイクロプリズム１２より取り外される。以降は、一定量の電圧を常に印加し続ける液晶ドライバを用いることにより、恒常的に両光ビームの光軸を一致させることが可能である。
【００７２】
上記の構成によれば、ピックアップ１の初期調整時において、第二光源１１ｂの設置位置を調整することにより両光軸を一致させる必要がない。このため、光軸変更作業を容易且つ確実に行うことができる。また、例えば第二光源１１ｂの設置位置が物理的に制約されているため位置調整による光軸変更が難しい場合であっても、光軸変更を行うことができる。このため、ピックアップ１の装置設計を柔軟に行うことができる。
【００７３】
［実施の形態３］
〈３−１．内部構成について〉
実施の形態１のディスクプレイヤ１００（図１）と同内容であるため、説明を省略する。
【００７４】
〈３−２．光ピックアップの構成について〉
実施の形態１の光ピックアップ１（図２）と同内容であるため、説明を省略する。
【００７５】
〈３−３．ダイクロプリズムの構成について〉
図５は、本発明の第二の実施形態に係るダイクロプリズム１２の構成を示す概略図である。本実施形態のダイクロプリズム１２は、実施の形態１のダイクロプリズムが備える第一反射膜１２ａ〜第二反射膜１２ｃに加え、収差補正素子１２ｅを備えている。また収差補正素子１２ｅには、受光素子６１及び補正量決定部６２が接続されている。なお受光素子６１及び補正量決定部６２は実施の形態２と同様、光ピックアップ内部の装置ではなく、外部の試験用装置（不図示）の一部材である。
【００７６】
収差補正素子１２ｅは、第二光源１１ｂより出射される光ビームがダイクロプリズム１２内部を通過する際に、この光ビーム発生している非点収差を補正するためのものである。具体的な部材としては、例えば非点収差補正用の液晶素子等を用いる。収差補正素子１２ｅは、図示しない液晶ドライバにより電圧を印加されることにより、その印加された電圧に応じて光ビームを整形する。
【００７７】
受光素子６１は、光ビームを受光し、光ビームに発生している非点収差を測定するためのものである。受光素子６１は、フォトダイオード等の受光素子を用いて受光した光情報を電気信号に変換する。そして変換した電気信号を、非点収差測定結果として補正量決定部に６２に出力する。なお受光素子６１は光ピックアップ内部の装置ではなく、外部の試験用装置（不図示）の一部材である。
【００７８】
従って、受光素子６１の設置場所は特に限定されるものではないが、光ビームが光ディスク２の情報記録面に照射される直前、或いは光ディスク２より反射された光ビームが光検出器１９に入射する直前等に受光を行うことが望ましい。これにより、ダイクロプリズム１２より発生する非点収差だけではなく、それ以外の光学部材、例えば立ち上げミラー１５や対物レンズ１７などで発生する非点収差を考慮した補正を行うことが可能である。なお受光素子６１は、同じく受光素子により光情報を電気信号へ変換する光検出器１９とは別部材である。
【００７９】
補正量決定部６２は、受光素子６１から与えられた光ビームの測定結果をもとに、補正すべき非点収差の補正量を算出し、算出した補正量に基づいて非点収差の補正を行う。具体的には補正量決定部６２は、受光素子６１により光電変換された電気信号を受信し、その電気信号から光ビームに発生している非点収差を算出する。そして第二光源１１ｂから出射される光ビームにどのような整形を行えば非点収差を消すことができるかを算出する。そして算出した値を元に、光軸変更素子１２ｄに印加する電圧の大きさ決定する。
【００８０】
そして液晶ドライバを用いて、電圧の印加を行う。電圧の印加後、補正量決定部６２は更に受光素子６１を用いて光ビームの測定を行い、非点収差が低減したかどうかの判定を行う。低減していない場合は、再度補正量の算出及び電圧の印加を行う。そして非点収差の発生量が最も低くなった際の電圧を、確定値としてメモリ（不図示）等の記録装置に記録する。
【００８１】
なお、受光素子６１及び補正量決定部６２は、実施の形態２と同様、ピックアップ１の初期調整時においてのみ使用する部材であるため、上記の確定値が得られた後はダイクロプリズム１２より取り外される。以降は、一定量の電圧を常に印加し続ける液晶ドライバを用いて、恒常的に非点収差の補正を行うことが可能である。
【００８２】
上記の構成によれば、ピックアップ１の初期調整時において、各光学部材によって発生する非点収差を低減することができる。このため、ピックアップ１の製造時における初期調整を効率的且つ確実に行うことができる。
【００８３】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００８４】
従って本発明は、以下の形態にも適用可能である。
（Ａ）本実施形態では、ピックアップ１を備えた光ディスク装置としてディスクプレイヤ１００を例として説明したが、これ以外の光ディスク装置において本発明のピックアップ１及びダイクロプリズム１２を用いる形態であってもよい。例えば、カーナビ、テレビ・ＤＶＤ複合機、パソコン、光ディスクレコーダ等において用いる形態であってもよい。
【００８５】
（Ｂ）本実施形態では、ダイクロプリズム１２を構成する透明部材としてガラス厚板１２ｂを用いているが、これ以外の材質の透明部材を用いる形態であってもよい。また、第一反射膜１２ａ及び第二反射膜１２ｃを形成する材質については、本発明の範囲を逸脱しない範囲において適宜変更可能である。
【００８６】
（Ｃ）補正用電圧の算出後に液晶素子に恒常的に電圧を印加する部材として液晶ドライバを例として説明しているが、これ以外の部材、例えば電源回路やＬＳＩチップ等を用いて電圧を印加する形態であってもよい。
【００８７】
（Ｄ）本実施形態では、収差補正素子１２ｅによる非点収差の補正を、光ビームが第一反射膜を透過した直後に行っているが、光ビームが第二反射膜を反射してから第一反射膜を透過するまでの間に補正を行うように収差補正素子１２ｅを配設する形態であってもよい。
【図面の簡単な説明】
【００８８】
【図１】は、本発明の一実施形態に係る光ディスク再生装置を示す構成図である。
【図２】は、本発明の一実施形態に係る光ピックアップの光学系を示す構成図である。
【図３】は、本発明の第一の実施形態に係るダイクロプリズムの構成を示す構成図である。
【図４】は、本発明の第二の実施形態に係るダイクロプリズムの構成を示す構成図である。
【図５】は、本発明の第三の実施形態に係るダイクロプリズムの構成を示す構成図である。
【図６】は、従来の光ディスク再生装置を示す構成図である。
【図７】は、従来の光ピックアップの光学系を示す構成図である。
【符号の説明】
【００８９】
１        光ピックアップ
２        光ディスク
１１ａ    第一光源（光源）
１１ｂ    第二光源（光源）
１２      ダイクロプリズム
１２ａ    第一反射膜
１２ｂ    ガラス厚板（透明部材）
１２ｃ    第二反射膜
１２ｄ    光軸変更素子（光軸変更手段）
１２ｅ    収差補正素子（収差補正手段）
６１      受光素子（受光手段）
６２      補正量決定部（第一算出手段、第二算出手段）
【図１】
2009043359.tif 000003
【図２】
2009043359.tif 000004
【図３】
2009043359.tif 000005
【図４】
2009043359.tif 000006
【図５】
2009043359.tif 000007
【図６】
2009043359.tif 000008
【図７】
2009043359.tif 000009